(57)【要約】【課題】より一層の小型化、薄型化が可能で、しかも振動モータの振動を有効に伝えることのできる折り畳み式携帯機器を提供する。【解決手段】本体２，１２と蓋体３，１３とがヒンジ部４，１４を介して折り畳み可能に構成された折り畳み式携帯機器１，１１であり、振動で着信を知らせる振動モータ５，１５をヒンジ部４，１４に設置した。【選択図】      図２
2004193665.tif 000002
【特許請求の範囲】
【請求項１】
本体と蓋体とがヒンジ部を介して折り畳み可能に構成された折り畳み式携帯機器において、
振動で着信を知らせる振動モータを前記ヒンジ部に設置したことを特徴とする折り畳み式携帯機器。
【請求項２】
本体と蓋体とがヒンジ部を介して折り畳み可能に構成された折り畳み式携帯機器において、
前記ヒンジ部に、直径に比べて長さが短いコイン型の振動モータを、当該振動モータの軸線を当該ヒンジ部の回動軸線に沿わせて設置したことを特徴とする折り畳み式携帯機器。
【請求項３】
本体と蓋体とがヒンジ部を介して折り畳み可能に構成された折り畳み式携帯機器において、
前記ヒンジ部に、直径に比べて長さが長い円筒型の振動モータを、当該振動モータの軸線を当該ヒンジ部の回動軸線と平行に設置したことを特徴とする折り畳み式携帯機器。
【発明の詳細な説明】
【０００１】
【発明の属する技術分野】
この発明は、例えば折り畳み式携帯電話器などの折り畳み式携帯機器に関するものである。
【０００２】
【従来の技術】
近年、広く利用されるようになった携帯電話器には、本体と蓋体とがヒンジ部を介して折り畳み可能に構成された折り畳み式携帯電話器がある。
【０００３】
また、このような折り畳み式のものを含め、携帯電話器では、着信を知らせるのに音によるものと、振動によるものとを使い分け可能であるが、最近では、公共の場所をはじめとして着信音を鳴らさないことがマナーとして定着しつつあり、今後はますます振動で着信を知らせるようになることが予想される。
【０００４】
このような用途に用いる振動モータは、直径に比べて長さが長い円筒型のものと、直径に比べて長さが短いコイン型のものとに大別され、従来の折り畳み式携帯電話器には、円筒型の振動モータを採用したものも、コイン型の振動モータを採用したものもある。
【０００５】
【特許文献１】
特開２００１−９５２００号公報
【０００６】
【発明が解決しようとする課題】
しかしながら、従来の折り畳み式携帯電話器では、円筒型の振動モータを採用したものも、コイン型の振動モータを採用したものも、いずれも振動モータを本体の筐体内部に設置しているため、つぎのような問題がある。
【０００７】
すなわち、円筒型の振動モータを採用した従来の折り畳み式携帯電話器２１の場合は、図５（ａ）（ｂ）に示すように、本体２２の筐体内部に円筒型の振動モータ２５を寝かせて（振動モータ２５の軸線を本体２２平面に平行に）設置することで、仮に振動モータ２５を立てて（振動モータ２５の軸線を本体２２平面に垂直に）設置する場合に比べて本体２２の薄型化を図っているが、それでも振動モータ２５全体の直径より薄くすることは不可能である。図５（ａ）（ｂ）において、２３は蓋体、２４はヒンジ部である。
【０００８】
また、コイン型の振動モータを採用した従来の折り畳み式携帯電話器３１の場合は、図６（ａ）（ｂ）に示すように、本体３２の筐体内部にコイン型の振動モータ３５を縦向きに（振動モータ３５の軸線を本体３２平面に垂直に）設置することで、仮に振動モータ３５を横向きに（振動モータ３５の軸線を本体３２平面に平行に）設置する場合、すなわち図５（ａ）（ｂ）に示す円筒型の振動モータ２５の場合に比べて、本体を一層薄型にできる。しかし、このように振動モータ３５を縦向きに（振動モータ３５の軸線を本体３２平面に垂直に）設置した場合は、振動モータ３５の振動面が本体３２平面と平行になるため、本体３２平面と垂直な振動面を振動する場合に比べて、本体３２から外部に伝わる振動が弱く、その振動を持ち主が感じ取りにくいという問題があった。図６（ａ）（ｂ）において、３３は蓋体、３４はヒンジ部である。
【０００９】
この発明の課題は、上記従来のもののもつ問題点を排除して、より一層の小型化、薄型化が可能で、しかも振動モータの振動を有効に伝えることのできる折り畳み式携帯機器を提供することにある。
【００１０】
【課題を解決するための手段】
この発明は上記課題を解決するものであって、請求項１に係る発明は、本体と蓋体とがヒンジ部を介して折り畳み可能に構成された折り畳み式携帯機器において、振動で着信を知らせる振動モータを前記ヒンジ部に設置した折り畳み式携帯機器である。
【００１１】
請求項２に係る発明は、本体と蓋体とがヒンジ部を介して折り畳み可能に構成された折り畳み式携帯機器において、前記ヒンジ部に、直径に比べて長さが短いコイン型の振動モータを、当該振動モータの軸線を当該ヒンジ部の回動軸線に沿わせて設置した折り畳み式携帯機器である。
【００１２】
請求項３に係る発明は、本体と蓋体とがヒンジ部を介して折り畳み可能に構成された折り畳み式携帯機器において、前記ヒンジ部に、直径に比べて長さが長い円筒型の振動モータを、当該振動モータの軸線を当該ヒンジ部の回動軸線と平行に設置した折り畳み式携帯機器である。
【００１３】
【発明の実施の形態】
この発明の実施の形態を、図面を参照して説明する。
図１は、この発明による折り畳み式携帯機器の一実施の形態を示し、この折り畳み式携帯機器は折り畳み式携帯電話器１に適用したものであって、折り畳み式携帯電話器１を開いた状態の正面図（ａ）および側面図（ｂ）が示してある。
【００１４】
この折り畳み式携帯電話器１は、本体２と蓋体３とがヒンジ部４を介して折り畳み可能に構成されたものであり、開いたとき現れる本体２の内側面には各種のキーやスイッチ類が設けられ、また、開いたとき現れる蓋体３の内側面には表示画面（例えばＬＣＤ）が設けられている。
【００１５】
ヒンジ部４は円筒形に形成されていて、本体２と一体のヒンジ部分と蓋体３と一体のヒンジ部分とが円筒軸線のまわりに回動可能に組み付けられることで、本体２と蓋体３とがヒンジ部４の円筒軸線（回動軸線）のまわりに折り畳みできるようになっている。
【００１６】
図２に示すように、ヒンジ部４の円筒内には、直径に比べて長さが短い（厚さが薄い）コイン型の振動モータ５が、その軸線をヒンジ部４の円筒軸線に沿わせて（円筒軸線と実質的に一致させて）設置されている。この振動モータ５はコイン型のものであるため、ヒンジ部４の円筒軸線方向にはわずかな長さしか占めず、ヒンジ部４の開閉および画面表示などの機能には全く影響を及ぼさない。
【００１７】
もともと、折り畳み式携帯電話器のヒンジ部の円筒内は、本体側の回路と蓋体側の回路とを接続するための配線通路にしか使用されていないため、例えば内径８ｍｍ、長さ２〜４ｍｍ程度の空間のあるのが普通であり、一方、この空間に収まる大きさのコイン型の振動モータも既存のものがある。この折り畳み式携帯電話器１は、このようにヒンジ部４の円筒内にもともと備わる例えば内径８ｍｍ、長さ２〜４ｍｍ程度の空間に、これに収まる大きさのコイン型の振動モータ５を設置することで、折り畳み式携帯電話器１の小型化、薄型化を実現したものである。
【００１８】
そして、この振動モータ５は、振動で持ち主に着信を知らせるものであり、図示しないバッテリとの接続の仕方等については従来のものと同様である。
【００１９】
次に、上記の折り畳み式携帯電話器１の動作について説明する。
この折り畳み式携帯電話器１に音声メッセージまたはメールメッセージが着信すると、振動モータ５が振動して持ち主に着信を知らせる。しかも、この振動モータ５はコイン型のものであるが、その軸線がヒンジ部４の円筒軸線に実質的に一致しているため、従来のコイン型の振動モータの設置方向とは軸線の向きが９０°異なり、振動モータ５の振動面がヒンジ部４の回動軸線と直交しているため、ヒンジ部４の円筒から放射方向に振動が伝わり、振動量が比較的小さくてもその振動を持ち主が感じ取りやすい。
【００２０】
また、振動モータ５は、この折り畳み式携帯電話器１が折り畳まれて本体２と蓋体３とが閉じられているとき、本体２および蓋体３の端部に位置するヒンジ部４に設置されているため、従来のように本体の筐体内部に位置している場合に比べて、振動エネルギが本体２の筐体に吸収されにくく、この点からもその振動を持ち主が感じ取りやすく、着信を知らせる振動モータ５の動作を的確に活用することができる。
【００２１】
また、この振動モータ５は、従来からヒンジ部４に存在していたデッドスペースを有効活用するものであるため、従来の折り畳み式携帯電話器で振動モータを設置していた本体の筐体内部のスペースが振動モータ用には不要となり、そのため、このスペースを振動モータ以外の用途に有効利用できる他、折り畳み式携帯電話器１の小型化に利用することができる。
【００２２】
図３は、この発明による折り畳み式携帯機器の他の実施の形態を示し、この折り畳み式携帯機器も折り畳み式携帯電話器１１に適用したものであって、折り畳み式携帯電話器１１を開いた状態の正面図（ａ）および側面図（ｂ）が示してある。
【００２３】
この折り畳み式携帯電話器１１は、本体１２と蓋体１３とがヒンジ部１４を介して折り畳み可能に構成されたものであり、本体１２、蓋体１３およびヒンジ部１４の各部の構成は、基本的に、図１に示す折り畳み式携帯電話器１と同様のものである。
【００２４】
図４に示すように、ヒンジ部１４の円筒内には、直径に比べて長さが長い円筒型の振動モータ１５が、その軸線をヒンジ部１４の円筒軸線と平行に設置されている。この振動モータ１５は円筒型のものであり、モータ本体の軸線方向外方に分銅１６を備えている。そのため、図２に示すコイン型の振動モータ５に比べて、ヒンジ部１４の円筒軸線方向に占める長さは長いが、モータ本体の直径は小径であるため、その外周とヒンジ部１４の円筒内面との間に、かなりの断面積を有する筒状の空間があり、この筒状空間を、例えば本体１２側の回路と蓋体１３側の回路とを接続するための配線通路として利用することができる。また、分銅１６の厚さは、図２に示すコイン型の振動モータ５の厚さに比べれば薄くすることが可能であるから、ヒンジ部１４の円筒軸線方向にはわずかな長さしか占めず、ヒンジ部１４の開閉および画面表示などの機能には全く影響を及ぼさない。
【００２５】
もともと、折り畳み式携帯電話器のヒンジ部の円筒内は、本体側の回路と蓋体側の回路とを接続するための配線通路にしか使用されていないため、円筒型の振動モータの分銅を収めるには充分すぎるほどの内径８ｍｍ、長さ２〜４ｍｍ程度の空間のあるのが普通であり、また、配線通路として使用するヒンジ部の円筒内ではあるが、その円筒内の断面空間全体が配線通路として必要であるわけではなく、円筒型の振動モータ１５のモータ本体外周とヒンジ部１４の円筒内面との間に形成される筒状空間程度の断面空間があれば配線通路として不足がない。この折り畳み式携帯電話器１１は、このようにヒンジ部１４の円筒内に配線通路を確保してもなお残る空間に、これに収まる大きさの円筒型の振動モータ１５を設置することで、折り畳み式携帯電話器１１の小型化、薄型化を実現したものである。
【００２６】
そして、この振動モータ１５は、振動で持ち主に着信を知らせるものであり、図示しないバッテリとの接続の仕方等については従来のものと同様である。
【００２７】
次に、上記の折り畳み式携帯電話器１１の動作について説明する。
この折り畳み式携帯電話器１１に音声メッセージまたはメールメッセージが着信すると、振動モータ１５が振動して持ち主に着信を知らせる。しかも、この振動モータ１５はその軸線がヒンジ部１４の円筒軸線と平行で、分銅１６の振動面がヒンジ部１４の回動軸線と直交しているため、ヒンジ部１４の円筒から放射方向に振動が伝わり、振動量が比較的小さくてもその振動を持ち主が感じ取りやすい。
【００２８】
また、振動モータ１５は、この折り畳み式携帯電話器１１が折り畳まれて本体１２と蓋体１３とが閉じられているとき、本体１２および蓋体１３の端部に位置するヒンジ部１４に設置されているため、従来のように本体の筐体内部に位置している場合に比べて、振動エネルギが本体１２の筐体に吸収されにくく、この点からもその振動を持ち主が感じ取りやすく、着信を知らせる振動モータ１５の動作を的確に活用することができる。
【００２９】
また、この振動モータ１５は、従来からヒンジ部１４に存在していたデッドスペースを有効活用するものであるため、従来の折り畳み式携帯電話器で振動モータを設置していた本体の筐体内部のスペースが振動モータ用には不要となり、そのため、このスペースを振動モータ以外の用途に有効利用できる他、折り畳み式携帯電話器１１の小型化に利用することができる。
【００３０】
なお、上記の実施の形態では、折り畳み式携帯電話器１，１１に適用したが、これに限定するものでなく、例えば、折り畳み式ポケットベルに適用することができ、また、例えば、腕時計を多機能化するため表示部を折り畳み式にしてそのヒンジ部に振動モータを設置すれば、腕時計のサイズを必要以上に拡大しないで、振動で設定時刻を知らせる振動アラームとして採用することが可能である。
【００３１】
【発明の効果】
この発明は以上のように、本体と蓋体とがヒンジ部を介して折り畳み可能に構成された折り畳み式携帯機器において、振動で着信を知らせる振動モータをヒンジ部に設置した構成としたので、従来の折り畳み式携帯機器に比べてより一層の小型化、薄型化が可能で、しかも振動モータの振動を有効に伝えることができる効果がある。
【図面の簡単な説明】
【図１】この発明による折り畳み式携帯機器の一実施の形態としての折り畳み式携帯電話器を開いた状態を示す（ａ）正面図および（ｂ）側面図である。
【図２】図１の折り畳み式携帯電話器のヒンジ部を一部断面にして示す拡大図である。
【図３】この発明による折り畳み式携帯機器の他の実施の形態としての折り畳み式携帯電話器を開いた状態を示す（ａ）正面図および（ｂ）側面図である。
【図４】図３の折り畳み式携帯電話器のヒンジ部を一部断面にして示す拡大図である。
【図５】従来の折り畳み式携帯電話器の一例を一部断面にして示す（ａ）正面図および（ｂ）側面図である。
【図６】従来の折り畳み式携帯電話器の他の例を一部断面にして示す（ａ）正面図および（ｂ）側面図である。
【符号の説明】
１，１１，２１，３１  折り畳み式携帯電話器
２，１２，２２，３２  本体
３，１３，２３，３３  蓋体
４，１４，２４，３４  ヒンジ部
５，１５，２５，３５  振動モータ
１６  分銅
【図１】
2004193665.tif 000003
【図２】
2004193665.tif 000004
【図３】
2004193665.tif 000005
【図４】
2004193665.tif 000006
【図５】
2004193665.tif 000007
【図６】
2004193665.tif 000008